(57)【要約】【課題】上半身を左右に回転（旋回）させたままで転倒することなく骨盤傾斜が行えるエクササイズチェアを提供する。【解決手段】フレーム１と、座部２と、背凭れ部３と、支持アーム４を備え、フレーム１の座部支持部１２ａに回転軸１０が取り付けられ、回転軸１０に支持アーム４が取り付けられることで、背凭れ部３が座部２の外周側を回転軸１０回りに回動可能であり、座部２は座部支持部１２ａに左右に弾性的に揺動可能に設けられている。  したがって、座部２に着座して上半身を背凭れ部３に当てた状態で、上半身を回転すると、背凭れ部３が支持アーム４とともに回転軸回りに回動し、これによって上半身がスムーズに回転し、上半身を左右に回転（旋回）させたままで骨盤傾斜させると、それに伴って座部２が骨盤傾斜させた方向と逆方向に傾くので、転倒することなく十分な骨盤傾斜が行える。【選択図】図３
2014079478.tif 000002
【特許請求の範囲】
【請求項１】
フレームと、このフレームに設けられた座部と、背凭れ部と、この背凭れ部を支持する支持アームを備え、
前記フレームに、軸回りに正逆方向に回転可能な回転軸が取り付けられ、
この回転軸に前記支持アームが取り付けられることで、前記背凭れ部が前記座部の外周側を前記回転軸回りに回動可能であり、
前記座部は前記フレームに左右に弾性的に揺動可能に設けられていることを特徴とするエクササイズチェア。
【請求項２】
前記支持アームと前記座部との少なくもいずれか一方に、前記背凭れ部の回動範囲を規制する規制部が設けられていることを特徴とする請求項１に記載のエクササイズチェア。
【請求項３】
前記座部とフレームとの間に、前記座部の揺動によって拡張・収縮する容器が設けられ、この容器は、拡張することによって空気が取り込まれ、収縮することによって空気を排出することを特徴とする請求項１または２に記載のエクササイズチェア。
【請求項４】
前記座部が前後に傾倒可能であり、当該座部を支持するともに傾倒した当該座部を所望の位置で保持可能な支持手段を備えていることを特徴とする請求項１〜３のいずれか１項に記載のエクササイズチェア。
【請求項５】
前記背凭れ部には、座部に着座した人の脇を支持する左右一対の脇支持部が設けられ、
この脇支持部は、前記背凭れ部から横方向に張り出す張出部と、この張出部の先端部から前方に延出する支持部本体とを備えていることを特徴とする請求項１〜４のいずれか１項に記載のエクササイズチェア。
【請求項６】
前記張出部の背面には、前記脇支持部の後ろ側に回した上腕部を保持するための凹部が設けられていることを特徴とする請求項５に記載のエクササイズチェア。
【発明の詳細な説明】
【技術分野】
【０００１】
本発明は、身体の腰椎から脊椎のストレッチを行えるエクササイズチェアに関する。
【背景技術】
【０００２】
身体の上半身をストレッチングするためのストレッチング装置の一例として特許文献１に記載のものが知られている。
このストレッチング装置は、座部と、該座部との距離を調節可能に設けられた脇支持部材とを有し、該脇支持部材は、身体の両脇を支持させたときに身体の脊柱に沿う方向の回動軸回りに回動可能に支持されていることを特徴としている。
このようなストレッチング装置を使用する場合、使用者は、座部に腰掛け、脇支持部材の位置調整して、体重が脇支持部材にかかるように（即ち、臀部が座部から少し浮く程度に）座部と脇支持部材との距離を調節する。この状態で使用者が、脇支持部材とともに上半身を左右に旋回させる運動を行うと、脊柱を伸ばした状態で上半身の旋回運動を実現させることができる。
【先行技術文献】
【特許文献】
【０００３】
【特許文献１】特開２００７−１８１７３０号公報
【発明の概要】
【発明が解決しようとする課題】
【０００４】
ところで、ストレッチングを行う場合、上半身を左右に回転（旋回）させたままで骨盤傾斜させることが効果的であるが、前記従来のストレッチング装置では、座部が固定であるので、上半身を骨盤傾斜させた際に骨盤傾斜させた方向に転倒するおそれがある。
【０００５】
本発明は前記事情に鑑みてなされたもので、上半身を左右に回転（旋回）させたままで転倒することなく骨盤傾斜が行えるエクササイズチェアを提供することを目的としている。
【課題を解決するための手段】
【０００６】
前記目的を達成するために、本発明は、フレームと、このフレームに設けられた座部と、背凭れ部と、この背凭れ部を支持する支持アームを備え、
前記フレームに、軸回りに正逆方向に回転可能な回転軸が取り付けられ、
この回転軸に前記支持アームが取り付けられることで、前記背凭れ部が前記座部の外周側を前記回転軸回りに回動可能であり、
前記座部は前記フレームに左右に弾性的に揺動可能に設けられていることを特徴とする。
【０００７】
ここで、前記回転軸は座部に人が着座したときの脊柱の延長上に配置するのが好ましい。
【０００８】
本発明においては、座部に着座して上半身を背凭れ部に当てた状態で、上半身を回転すると、背凭れ部が支持アームとともに回転軸回りに回動し、これによって上半身がスムーズに回転する。
そして、上半身を左右に回転（旋回）させたままで骨盤傾斜させると、それに伴って座部が骨盤傾斜させた方向と逆方向に傾くので、転倒することなく十分な骨盤傾斜が行える。
【０００９】
本発明の前記構成において、前記支持アームと前記座部との少なくもいずれか一方に、前記背凭れ部の回動範囲を規制する規制部が設けられているのが好ましい。
【００１０】
ここで、背凭れ部の回動範囲としては、平面視において背凭れ部が座部の幅方向中央部の直後にある場合の位置を原点位置とし、この原点位置から左右にそれぞれ６０°だけ回動した位置を規制位置とすると、左右の規制位置間を回動範囲とするのが好ましい。
【００１１】
このような構成によれば、規制部によって背凭れ部の回動範囲が規制されるので、上半身を左右に回転させる場合に、回転しすぎ（捻りすぎ）を防止でき、脊柱に過度の負担がかかるのを未然に防止できる。
【００１２】
また、本発明の前記構成において、前記座部とフレームとの間に、前記座部の揺動によって拡張・収縮する容器が設けられ、この容器は、拡張することによって空気が取り込まれ、収縮することによって空気を排出してもよい。
【００１３】
容器内には、例えば抗酸化機能を有する機能性樹木抽出液や、アロマオイル等を入れ、これらの香りを空気とともに外部に排出させるようにする。
【００１４】
このような構成によれば、座部に着座して上半身を背凭れ部に当てた状態で、上半身を左右に回転するに伴い、座部が左右に傾くように揺動するので、この揺動によって容器が拡張・収縮するのを繰り返して、空気の吸引、排出を繰り返す。したがって、この容器に、抗酸化機能を有する機能性樹木抽出液や、アロマオイル等を入れておくことによって、ストレッチを行う人の周りを抗酸化雰囲気やアロマの香りの漂う雰囲気にでき、リラックス効果を得ることができる。
【００１５】
また、本発明の前記構成において、前記座部が前後に傾倒可能であり、当該座部を支持するともに傾倒した当該座部を所望の位置で保持可能な支持手段を備えているのが望ましい。
【００１６】
このような構成によれば、座部に着座して上半身を左右に回転させるストレッチを行う場合に、座部を水平面に対して５°前側に傾斜させて、この状態で保持することによって、骨盤を立たせることができる。したがって、骨盤に無理な力が作用するのを防止できるとともに、骨盤、腰椎、脊椎、胸椎が垂直となり、無理のないストレッチを行える。
また、座部を水平な状態に保持しておくことによって、通常の椅子としても使用でき、さらに、座部を後側に傾斜させることによって、身体をリラックスさせることができる。
【００１７】
また、本発明の前記構成において、前記背凭れ部には、座部に着座した人の脇を支持する左右一対の脇支持部が設けられ、
この脇支持部は、前記背凭れ部から横方向に張り出す張出部と、この張出部の先端部から前方に延出する支持部本体とを備えていてもよい。
【００１８】
このような構成によれば、座部に着座して、背凭れ部に身体を当てた場合に、脇支持部の支持部本体によって脇下を胴体とともに支持でき、さらに張出部の上から腕を後ろに回して当該腕の上腕部を張出部に回し掛けることができる。
したがって、上半身を背凭れ部とともに確実に回転することができるので、より効果的な体幹ストレッチを行える。
【００１９】
また、本発明の前記構成において、前記張出部の背面に、前記脇支持部の後ろ側に回した上腕部を保持するための凹部が設けられているのが好ましい。
【００２０】
このような構成によれば、脇支持部の後ろ側に回した上腕部を凹部に収めて保持できるので、背凭れ部から身体が離れ難くなって、さらに、効果的な体幹ストレッチを行える。
【発明の効果】
【００２１】
本発明によれば、座部に着座して上半身を背凭れ部に当てた状態で、上半身を左右に回転することによって上半身がスムーズに左右に回転し、上半身を左右に回転（旋回）させたままで骨盤傾斜させると、それに伴って座部が骨盤傾斜させた方向と逆方向に傾くので、転倒することなく十分な骨盤傾斜が行える。
【図面の簡単な説明】
【００２２】
【図１】本発明の第１の実施の形態に係るエクササイズチェアを示すもので、斜め前方から視た斜視図である。
【図２】同、斜め後方から視た斜視図である。
【図３】同、（ａ）はエクササイズチェアの側断面図、（ｂ）は回転軸の断面図である。
【図４】同、エクササイズチェアの下部を斜め上方から視た斜視図である。
【図５】同、エクササイズチェアを斜め下方から視た斜視図である。
【図６】同、シートプレートの揺動範囲を説明するための図である。
【図７】同、エクササイズチェアの平面図である。
【図８】同、背凭れ部の回動範囲を説明するためのエクササイズチェアの平面図である。
【図９】同、規制部が座部に当接した状態を示す要部の斜視図である。
【図１０】同、座部が前方に傾斜した状態を示す斜視図である。
【図１１】同、座部が後方に大きく傾斜した状態を示す斜視図である。
【図１２】本発明の第２の実施の形態に係るエクササイズチェアを示すもので、座部およびその近傍を示す側断面図である。
【図１３】第１および第２の実施の形態における回転軸の変形例を示す断面図である。
【発明を実施するための形態】
【００２３】
以下、本発明の実施の形態について図面を参照して説明する。
（第１の実施の形態）
図１〜図３は、第１の実施の形態に係るエクササイズチェアの一例を示すもので、図１は斜め前方から視た斜視図、図２は斜め後方から視た斜視図、図３は（ａ）は側断面図、図３（ｂ）は回転軸の断面図である。
【００２４】
エクササイズチェアは、フレーム１と、座部２と、背凭れ部３と、支持アーム４とを備えている。
フレーム１は、フレーム本体１１と、座部２を支持する座部支持フレーム１２とを備えている。
フレーム本体１１は、床等に設置される略Ｕ字状の設置フレーム１１ａと、この設置フレーム１１ａの端部から斜めに立ち上がって、前記座部支持フレーム１２が取り付けられる略コ字形の立上りフレーム１１ｂと、設置フレーム１１ａに設けられた補強フレーム１１ｃとから構成されている。
【００２５】
座部支持フレーム１２は、図３〜図５に示すように、矩形筒状の座部支持部１２ａと、この座部支持部１２ａの前端部に固定され、かつ下側が開口する断面略Ｕ形の取付部１２ｂとから構成されている。そして、座部支持フレーム１２は、取付部１２ｂを前記立上りフレーム１１ｂの水平な横フレーム１１ｄに軸回りに摺動可能に係合させることによって、立上りフレーム１１ｂに横フレーム１１ｄを軸として上下に回動可能に取り付けられている。このため、座部支持フレーム１２によって支持されている座部２は前後に傾倒可能となっている。
【００２６】
また、座部支持部１２ａと前記補強フレーム１１ｃとの間にはガスダンパ５が設けられている。このガスダンパ５の上端部は座部支持部１２ａの下面に回動可能に取り付けられ、下端部は補強フレーム１１ｃに回動可能に取り付けられている。このガスダンパ５は、図示しないレバーを掴んで操作することによって伸長するとともに、レバーを放すことによって、所定長さで保持され、また、座部２に着座した状態でレバーを掴んで操作することによって収縮するとともに、レバーを放すことによって、所定長さで保持されるようになっている。
したがって、座部支持フレーム１２およびこれに支持されてる座部２は、ガスダンパ５によって、横フレーム１１ｄを軸として上下に回動可能で、かつ所定の位置で保持されるようになっている。
【００２７】
前記座部２は以下のようにして座部支持フレーム１２によって支持されている。
すなわちまず、座部２は金属板等で形成されたシートプレート２ａと、このシートプレート２ａにボルト２ｂによって取り付けられた座部本体２ｃと、この座部本体２ｃの上面に取り付けられたクッション部２ｄと、このクッション部２ｄの周囲に設けられて着座したときに臀部を包むようにして保持する保持部２ｅとから構成されている。
【００２８】
シートプレート２ａは、前記座部支持部１２ａの上方に配置されており、前後方向（図３（ａ）において左右方向）に長い矩形板状のものである。このシートプレート２ａと座部支持部１２ａとの間にはそれらの略中央部においてスプリング６が設けられており、このスプリング６によってシートプレート２ａが弾性的に支持されている。
また、シートプレート２ａは座部支持部１２ａに、左右に揺動可能に取り付けられている。すなわち、座部支持部１２ａの前端部と後端部とにはそれぞれＬ形の金具７が固定される一方、シートプレート２ａの前端部と後端部とにはそれぞれ下方に向けて突出する突出片２ｆが形成されている。そして、金具７と突出片２ｆがボルト等の軸８によって連結されることによって、シートプレート２ａが軸８回りに左右に揺動可能となっている。シートプレート２ａはスプリング６によって弾性的に支持されているので、左右に弾性的に揺動可能となっている。
これによって、座部２はフレーム１の座部支持フレーム１２に左右に弾性的に揺動可能に設けられている。
【００２９】
また、前記シートプレート２ａの突出片２ｆの下辺部は、図６に示すように、水平面に対して傾斜する傾斜部２ｇ,２ｇを備えており、この傾斜部２ｇ,２ｇはシートプレート２ａが左右に揺動した際に、座部支持部１２ａの上面１２ｃに当接することによって、それ以上の揺動を規制するストッパとして機能するようになっている。
傾斜部２ｇが座部支持部１２ａの上面１２ｃに当接した際において、シートプレート２ａは水平面に対して１１°傾斜するようになっている。
したがって、座部２は左右にそれぞれ１１°だけ弾性的に揺動可能となっており、座部２に着座していない状態ではシートプレート２ａが水平となることで、座部２が水平に保持されるようになっている。
【００３０】
また、前記座部支持フレーム１２の座部支持部１２ａには、軸回りに正逆方向に回転可能な回転軸１０が取り付けられている。
回転軸１０は、図３（ｂ）に示すように、円筒状の軸部１０ａを備えている。軸部１０ａの上端部は、座部支持部１２ａに形成された貫通孔に挿通されたうえで、座部支持部１２ａに溶接等によって固定されている。軸部１０ａは座部支持部１２ａと直交し、かつ、座部２に人が着座したときの脊柱の延長上に配置されている。
軸部１０ａの外側には円筒状の回転筒１０ｂが軸部１０ａの軸回りに正逆方向に回転可能に外挿されている。回転筒１０ｂの上端部にはブッシュ１０ｃが取り付けられおり、このブッシュ１０ｃは軸部１０ａに軸回りに摺動自在に接している。また、回転筒１０ｂの下端部にはブッシュ１０ｄが取り付けられており、このブッシュ１０ｄは軸部１０ａに軸回りに摺動自在に接している。
【００３１】
また、軸部１０ａの下端部はブッシュ１０ｄより下方に突出しており、この突出した部分に蓋状の固定部材１０ｅが装着され、当該固定部材１０ｅは差込ピン１０ｆによって軸部１０ａに固定されている。この固定部材１０ｅによって回転筒１０ｂの下方への抜け落ちが防止されている。
また、図１および図２に示すように、回転筒１０ｂの外周部には固定ピン１０ｇが挿通され、この固定ピン１０ｇは前記軸部１０ａに形成された孔（図示略）に挿脱可能に挿入されている。したがって、固定ピン１０ｇを挿入した状態では回転筒１０ｂは回転不能となり、固定ピン１０ｇを取り外すことによって軸部１０ａの軸回りに正逆方向に回転可能となる。
前記回転筒１０ｂの外周部には、支持アーム４の端部が溶接等によって固定されている。したがって、支持アーム４は、回転筒１０ｂの回転に伴って、軸部１０ａ回りに回動可能となっている。
【００３２】
前記支持アーム４は回転筒１０ｂの外周部から水平に延出し、さらに上方にほぼ鉛直に折曲されてなる円筒状のものである。
支持アーム４は、回転筒１０ｂに端部が固定された外筒部４ａと、この外筒部４ａの内側に上下に摺動可能に挿入された内筒部４ｂとを備えており、ハンドル４ｃを回して締め付けることによって、外筒部４ａに内筒部４ｂを固定できるようになっている。したがって、ハンドル４ｃを回して緩めることによって、内筒部４ｂの外筒部４ａからの突出長さを調整することができ、これによって、支持アーム４の高さを調整できるようになっている。
【００３３】
前記支持アーム４の内筒部４ｂの上端部には、背凭れ部３が取り付けられ、これによって、背凭れ部３は支持アーム４によって支持され、当該支持アーム４とともに、前記座部２の外周側を回転軸１０回りに回動可能となっている。
背凭れ部３は、略円板状に背凭れ本体３ａと、この背凭れ本体３ａの前面に形成された凹部に装着されたクッション部３ｂとを備えており、クッション部３ｂは背凭れ本体３ａより若干前方に突出している。
【００３４】
前記背凭れ部３には、図１、図２、図７に示すように、座部２に着座した人の脇を支持する左右一対の脇支持部３１,３１が設けられている。
この脇支持部３１は、背凭れ部３の両側部から横方向に張り出す左右一対の張出部３１ａ,３１ａと、この張出部３１ａ,３１ａの先端部から前方に延出する支持部本体３１ｂ,３１ｂとを備えている。
張出部３１ａの背面には、脇支持部３１の後ろ側に回した腕（上腕部）を保持するための凹部３１ｃが設けられている。この凹部３１ｃは滑らかな曲面によって形成されている。
【００３５】
また、前記支持アーム４には、背凭れ部３の回動範囲を規制する規制部１５が設けられている。この規制部１５は、円筒状に形成されたスポンジチューブによって形成されており、支持アーム４の外筒部４ａに固定されている。
規制部１５は、背凭れ部３が支持アーム４とともに回転軸１０回りに回動した場合において、図８に示すように、平面視において支持アーム４または背凭れ部３が座部２の幅方向中央部の直後にある場合の位置を原点位置Ｏ１とし、この原点位置Ｏ１から左右にそれぞれ６０°だけ回動した位置を規制位置Ｏ２,Ｏ２とすると、支持アーム４が規制位置Ｏ２,Ｏ２に位置している場合に、座部２の後ろ側の外周面に当接するような、大きさ、位置に設定されている。
【００３６】
したがって、背凭れ部３が支持アーム４とともに回転軸１０回りに左右に回動して、図８および図９に示すように、座部２に当接すると、つまり背凭れ部３が原点位置Ｏ１から左右に６０°回転すると、これ以上の回動が規制されることになる。
なお、このような規制部１５は、支持アーム４と座部２とのうちの少なくとも何れか一方に設ければよいが、支持アーム４と座部２との間に指が挟まれることの危険性を回避するために支持アーム４に設けるのが好ましい。
【００３７】
以上のような構成のエクササイズチェアを使用して、上半身のストレッチ運動を行う場合、つまり上半身を左右に旋回（回転）させる運動を行う場合、座部２に着座した後、ガスダンパ５のレバーを操作して座部２を、図１０に示すように、前側に５°倒し、その状態でレバーを放して座部２をその状態に保持しておく。これによって、骨盤を立たせることができるので、骨盤に無理な力が作用するのを防止できる。また、回転軸１０から固定ピン１０ｇを取り外して、回転軸１０が回転可能な状態としておく。
【００３８】
次に、上半身を背凭れ部３に当てた状態で、両腕を脇支持部３１,３１の上から後ろ側に回して当該両腕の上腕部を張出部３１ａに回し掛けるとともに凹部３１ｃに収めて保持する。
この状態で上半身を左右に回転させると、背凭れ部３が支持アーム４とともに回転軸１０回りに回動し、これによって上半身がスムーズに回転する。
そして、上半身を左右に回転（旋回）させたままで骨盤傾斜させると、それに伴って座部２が骨盤傾斜させた方向と逆方向に傾くので、転倒することなく十分な骨盤傾斜が行える。
【００３９】
また、規制部１５によって背凭れ部３の回動範囲が規制されるので、上半身を左右に回転させる場合に、回転しすぎ（捻りすぎ）を防止でき、脊柱に過度の負担がかかるのを未然に防止できる。
【００４０】
なお、ストレッチ運動終了後は、前側に傾斜していた座部２を元の位置に戻すともに、固定ピン１０ｇを回転軸１０に挿入して、回転軸１０の回転止めを行うことによって、通常の椅子として使用できる。
また、図１１に示すように、ガスダンパ５のレバーを操作して座部２を、後ろ側に適度に倒し、その状態でレバーを放して座部２をその状態に保持しておくことによって、身体をリラックスさせることができる。
【００４１】
（第２の実施の形態）
図１２は、本発明に係るエクササイズチェアの第２の実施の形態を示すもので、座部付近の要部の断面図である。
この図に示すエクササイズチェアが前記第１の実施の形態のエクササイズチェアと異なる点は、座部２と座部支持フレーム１２との間に拡張・収縮可能な容器１６を設けた点であり、その他の構成は第１の実施の形態と同様であるので、その他の構成部分の図示や説明は省略する。なお、図１２において、第１の実施の形態と同一構成部分には同一符号を付してその説明を省略する。
【００４２】
座部２のシートプレート２ａと、座部支持フレーム１２の座部支持部１２ａとの間に座部２の揺動、つまりシートプレート２ａの揺動によって拡張・収縮する容器１６が設けられている。この容器１６はシートプレート２ａを揺動可能に支持する前記金具７より、シートプレート２ａの長辺方向に沿う側部側に配置されている。
容器１６は合成樹脂等によって蛇腹状に形成されたものであり、空気流入口１６ａと空気排出口１６ｂとを備えている。座部２の座部本体２ｃと座部支持部１２ａとの間は下方に開口しており、この開口に前記空気流入口１６ａと空気排出口１６ｂとが連通している。
したがって、座部２が左右に揺動すると、つまりシートプレート２ａが左右に揺動すると、容器１６が拡張・収縮を繰り返し、拡張するときは空気流入口１６ａから外部の空気を容器１６内に吸引し、収縮するときは容器１６内の空気を空気排出口１６ｂから排出して、座部本体２ｃと座部支持部１２ａとの間から外部に向けて排出するようになっている。
一方、容器１６内には抗酸化機能を有する機能性樹木抽出液や、アロマオイル等が入れられている。この場合、機能性樹木抽出液や、アロマオイル等を容器１６内に前記空気流入口１６ａや空気排出口１６ｂから直接注入してもよいし、容器１６に充填口を別途設けておき、この充填口から入れてもよい。
【００４３】
このような容器１６を備えたエクササイズチェアでは、座部２に着座して上半身を背凭れ部３に当てた状態で、上半身を回転するに伴い、座部２が左右に傾くように揺動するので、この揺動によって容器１６が拡張・収縮を繰り返して、空気を空気流入口１６ａから取り込んで（吸引して）、当該空気を空気排出口１６ｂから排出することを繰り返す。この容器１６には抗酸化機能を有する機能性樹木抽出液や、アロマオイル等を入れてあるので、これらの香りが空気排出口１６ｂから空気とともに排出される。したがって、ストレッチを行う人の周りを抗酸化雰囲気やアロマの香りの漂う雰囲気にできる。
【００４４】
なお、前記第１および第２の実施の形態において、回転軸１０を、回転の負荷調整が行えるように構成してもよい。
この場合、例えば図１３に示すように、回転軸１０の軸部１０ａの下端部に端板１０ｈを固定し、この端板１０ｈに調整ねじ１７を螺合させるとともに、調整ねじ１７の周囲にスプリング１８を設ければよい。
スプリング１８の両端部は、それぞれ保持プレート１９ａ,１９ｂに保持されており、スプリング１８の弾性復帰力（押圧力）によって、保持プレート１９ａでブッシュ１０ｄをリング２０を介して押圧することによって、回転筒１０ｂの回転に負荷をかけることができるとともに、調整ねじ１７のハンドル１７ａを適宜回転させて、調整ねじ１７のねじ込み長さを調整することによって、スプリング１８の押圧力を調整して、回転筒１０ｂの回転の負荷調整が行える。つまり、回転軸１０の回転の負荷調整が行える。
【００４５】
このように、回転軸１０の回転の負荷調整を行うことによって、支持アーム４の回転軸１０回りの回動の負荷調整が行えるので、上半身を左右に旋回（回転）させる運動を行う際の負荷調整を行える。したがって、能力に応じた上半身の回転運動を行える。
【符号の説明】
【００４６】
１    フレーム
２    座部
３    背凭れ部
４    支持アーム
５    ガスダンパ（支持手段）
１５  規制部
１６  容器
３１  脇支持部
３１ａ  張出部
３１ｂ  支持部本体
３１ｃ  凹所
【図１】
2014079478.tif 000003
【図２】
2014079478.tif 000004
【図３】
2014079478.tif 000005
【図４】
2014079478.tif 000006
【図５】
2014079478.tif 000007
【図６】
2014079478.tif 000008
【図７】
2014079478.tif 000009
【図８】
2014079478.tif 000010
【図９】
2014079478.tif 000011
【図１０】
2014079478.tif 000012
【図１１】
2014079478.tif 000013
【図１２】
2014079478.tif 000014
【図１３】
2014079478.tif 000015